(57)【要約】【課題】複数系統の録画系統を有する場合であっても、コピーワンスの制限が課されたコンテンツデータについて、ユーザを煩わせることなく一元管理する。【解決手段】実施形態のコンテンツデータ記録装置は、入力されたコピーワンスの制限が課されたコンテンツデータを記録可能な複数の記録部を備えている。記録制御部は、複数の記録部でコピーワンスの制限が課された同一のコンテンツデータを記録すべきとの指示が入力された場合に、指示に対応するいずれか一つの記録部でコンテンツデータの記録を行わせるとともに、指示に対応する他の記録部において、コンテンツデータの記録に代えて一つの記録部におけるコンテンツデータの記録の参照情報をメタデータとして記録させる。【選択図】図１
2013251756.tif 000002
【特許請求の範囲】
【請求項１】
入力されたコンテンツデータを記録可能な複数の記録部と、
前記複数の前記記録部でコピーワンスの制限が課された同一のコンテンツデータを記録すべきとの指示が入力された場合に、前記指示に対応するいずれか一つの記録部で前記コンテンツデータの記録を行わせるとともに、前記指示に対応する他の記録部において、前記コンテンツデータの記録に代えて前記一つの記録部における前記コンテンツデータの記録の参照情報をメタデータとして記録させる記録制御部と、
を備えたコンテンツデータ記録装置。
【請求項２】
各種情報を表示する表示画面に表示させる表示制御部を有し、
前記記録制御部は、前記指示に対応する他の記録部において、前記メタデータに前記コンテンツデータの記録に代えて当該メタデータを記録した理由に対応する理由データを含めて記録させ、
前記表示制御部は、前記メタデータに基づく表示を行うに際して、前記コンテンツデータの記録に代えて当該メタデータを記録した理由データに対応する内容を前記表示画面に表示させる、
請求項１記載のコンテンツデータ記録装置。
【請求項３】
前記メタデータは、実際に前記コンテンツデータを記録した記録部を特定する記録部特定データを含み、
前記メタデータを記録した記録部において、前記コンテンツデータの再生が指示された場合に、前記記録部特定データに基づいて特定した実際に前記コンテンツデータを記録した記録部に当該コンテンツデータを読み出して、再生を行わせる、
請求項２記載のコンテンツデータ記録装置。
【請求項４】
入力されたコピーワンスの制限が課されたコンテンツデータを記録可能な複数の記録部と、
前記複数の前記記録部でコピーワンスの制限が課された同一のコンテンツデータを記録すべきとの指示が入力された場合に、前記指示に対応する前記複数の記録部で前記コンテンツデータの記録を行わせるとともに、前記複数の記録部に記録した同一のコンテンツデータの内、いずれか一つの記録部に記録したコンテンツデータに基づく再生が指示された場合に、他の記録部に記録したコンテンツデータに基づく再生を禁止する制御部と、
を備えたコンテンツデータ記録装置。
【請求項５】
前記制御部は、前記複数の記録部の内、いずれか一つの記録部において、前記記録したコンテンツデータを外部出力して移動すべき指示がなされた場合に、他の記録部において、当該コンテンツデータへのアクセス禁止する、
請求項４記載のコンテンツデータ記録装置。
【請求項６】
入力されたコピーワンスの制限が課されたコンテンツデータを記録可能な複数の記録部を備えたコンテンツデータ記録装置において実行されるコンテンツデータ記録方法であって、
前記複数の前記記録部でコピーワンスの制限が課された同一のコンテンツデータを記録すべきとの指示が入力された場合に前記指示に対応するいずれか一つの記録部で前記コンテンツデータの記録を行わせるステップと、
前記指示に対応する他の記録部において、前記コンテンツデータの記録に代えて前記一つの記録部における前記コンテンツデータの記録の参照情報をメタデータとして記録させるステップと、
を備えたコンテンツデータ記録方法。
【請求項７】
入力されたコピーワンスの制限が課されたコンテンツデータを記録可能な複数の記録部を備えたコンテンツデータ記録装置をコンピュータにより制御するための制御プログラムであって、
前記コンピュータを、
前記複数の前記記録部でコピーワンスの制限が課された同一のコンテンツデータを記録すべきとの指示が入力された場合に前記指示に対応するいずれか一つの記録部で前記コンテンツデータの記録を行わせる手段と、
前記指示に対応する他の記録部において、前記コンテンツデータの記録に代えて前記一つの記録部における前記コンテンツデータの記録の参照情報をメタデータとして記録させる手段と、
して機能させる制御プログラム。
【発明の詳細な説明】
【技術分野】
【０００１】
本発明の実施形態は、コンテンツデータ記録装置、コンテンツデータ記録方法及び制御プログラムに関する。
【背景技術】
【０００２】
従来、ディジタル放送受信装置において、特定のチャンネルをループ録画するループ録画機能を応用して、毎日２４時間連続してコンテンツデータ（番組データ）を受信し、ストレージに記録し続けるシステムが実用化されている（例えば、特許文献１参照）。
このループ録画機能により、ユーザが意識的に番組を指定して録画予約を行わなくても自動的にコンテンツデータの録画が行われるため、予約を忘れていた場合や、放送後に話題に上った番組についても、過去に遡ってコンテンツ（番組）を視聴し、あるいは、保存することができるようになっていた。
【先行技術文献】
【特許文献】
【０００３】
【特許文献１】特開２００９−１６９５９号公報
【発明の概要】
【発明が解決しようとする課題】
【０００４】
ディジタル放送規格であるARIB規格や運用規定において、コンテンツの制御としてダビング１０運用、コピーワンス運用、コピーネバー運用などが規定されている。
一般的にコンテンツの配信側はコンテンツ調達における契約等でそのコンテンツの録画に関する扱いについても決め、それにしたがってコンテンツ配信時のコピー制御フラグを運用している。
たとえば、一契約あたり1回のコピーを許可するコンテンツはコピーワンスで運用するが、そもそも１つの契約により視聴可能となるコンテンツから作成されるコピーは1個であることがコンテンツ配信側の想定あり、上述のような  
複数の録画系統を有するコンテンツデータ記録装置において、録画系統毎にコンテンツデータの録画が独立して行えるとすることは、コンテンツ配信側の措定外の動作になっている。特に有料放送のような加入契約や購入契約により視聴するコンテンツでは顕著である。
【０００５】
本発明は、上記に鑑みてなされたものであって、複数系統の録画系統を有する場合であっても、少なくともコピーワンスの制限が課されたコンテンツデータについて、コンテンツハイン側の意図した録画動作を行わせるとともにユーザを煩わせることなく一元管理することが可能なコンテンツデータ記録装置、コンテンツデータ記録方法及び制御プログラムを提供することを目的としている。
【課題を解決するための手段】
【０００６】
実施形態のコンテンツデータ記録装置は、入力されたコンテンツデータを記録可能な複数の記録部を備えている。
そして、記録制御部は、複数の記録部でコピーワンスの制限が課された同一のコンテンツデータを記録すべきとの指示が入力された場合に、指示に対応するいずれか一つの記録部でコンテンツデータの記録を行わせるとともに、指示に対応する他の記録部において、コンテンツデータの記録に代えて一つの記録部におけるコンテンツデータの記録の参照情報をメタデータとして記録させる。
【図面の簡単な説明】
【０００７】
【図１】図１は、実施形態のテレビジョン受信装置の構成の一例を示すブロック図である。
【図２】図２は、本実施形態のチューナの詳細構成例を示すブロック図である。
【図３】図３は、第１実施形態の動作フローチャートである。
【図４】図４は、ループ録画部及びＰＶＲ録画部への録画状態の説明図である。
【図５】図５は、第１実施形態のループ録画部に録画されている番組の番組表の表示及び再生処理の処理フローチャートである。
【図６】図６は、ループ録画部の録画済番組表の一例の説明図である。
【図７】図７は、第２実施形態のループ録画部に録画されている番組の番組表の表示及び再生処理の処理フローチャートである。
【図８】図８は、第３実施形態のループ録画部及びＰＶＲ録画部に録画されている番組の番組表の表示及び再生処理の処理フローチャートである。
【図９】図９は、いずれか一の録画系統において、コンテンツデータのムーブ指示がなされた場合の処理フローチャートである。
【発明を実施するための形態】
【０００８】
以下、添付図面を参照しながら、本発明にかかるディジタル放送記録装置及びディジタル放送記録方法の実施の形態を詳細に説明する。
［１］第１実施形態
以下の説明においては、ディジタル放送記録装置の一例として、録画機能を備えたテレビジョン受信装置を例にとり説明する。
【０００９】
まず、実施形態のテレビジョン受信装置の構成について説明する。
図１は、実施形態のテレビジョン受信装置の構成の一例を示すブロック図である。
テレビジョン受信装置１００は、図１に示すように、チューナ１０１、録画再生部１０５、ＨＤＤ１１０、ＥＰＧ（Electric  Program  Guide）処理部１１２、ＥＰＧメモリ１１３、ＭＰＥＧ（Moving  Picture  Experts  Group）デコーダ１１４、表示制御部１１５、リモコン受信部１１６、及びシステムコントローラ１１７を備えており、ディジタル放送が受信可能な機能を備えている。
ここで、システムコントローラ１１７は、記録制御部として機能している。
【００１０】
チューナ１０１は、番組などのコンテンツデータや制御データが多重化されたコンテンツデータとしてのトランスポートストリーム（Transport  Stream）を放送局から受信する。
本実施形態では、チューナ１０１は、チューナ１０１−１〜１０１−Ｎ（Ｎは自然数）を備えており、それぞれチャンネルＣｈ１〜ＣｈＮのトランスポートストリームを受信する。そして、チューナ１０１−１〜１０１−Ｎは、それぞれチャンネルＣｈ１〜ＣｈＮのトランスポートストリームを録画再生部１０５及びＥＰＧ処理部１１２に出力する。
【００１１】
ここで、本実施形態のチューナ１０１−１〜１０１−Ｎの詳細について説明する。
チューナ１０１−１〜１０１−Ｎは、同様の構成であるため、チューナ１０１−１を例として説明する。
【００１２】
図２は、本実施形態のチューナの詳細構成例を示すブロック図である。
図２に示すように、チューナ１０１−１は、選局部２０１と、分離部２０２と、デスクランブラ２０３と、分離部２０４と、ＩＣカード２０６とを備える。
選局部２０１は、アンテナ入力を選局し、選局したチャンネルのトランスポートストリームを分離部２０２及びデスクランブラ２０３に出力する。
【００１３】
分離部２０２は、選局部２０１から入力されたトランスポートストリームに多重されている制御データＥＣＭを分離し、分離した制御データＥＣＭをＩＣカード２０６に出力する。また、分離部２０２は、選局部２０１から入力されたトランスポートストリームを分離部２０４に出力する。分離部２０４は、分離部２０２から入力されたトランスポートストリームに多重されている制御データＥＭＭを分離し、分離した制御データＥＭＭをＩＣカード２０６に出力する。
【００１４】
ＩＣカード２０６は、分離部２０２から入力された制御データＥＣＭ及び分離部２０４から入力された制御データＥＭＭを用いてスクランブル鍵を復号する。デスクランブラ２０３は、ＩＣカード２０６で復号されたスクランブル鍵を用いてトランスポートストリームに多重されているコンテンツデータをデスクランブルし、出力する。
なお、本実施形態では、チューナ１０１−１〜１０１−ＮそれぞれにＩＣカード２０６が備えられているが、複数のチューナがＩＣカードを兼用するようにしてもよい。
【００１５】
図１に戻り、録画再生部１０５は、チャンネルＣｈ１〜ＣｈＮのトランスポートストリームからコンテンツデータを抽出して、録画や再生を行うものであり、ループ録画部１０６と、ＰＶＲ録画部１０７と、変更部１０８と、再生部１０９とを備える。
ここで、ループ録画部１０６及びＰＶＲ録画部１０７は、記録部として機能している。
【００１６】
ループ録画部１０６は、概念的にループ状に形成されている録画領域に連続して録画を行い、既に録画済の領域に録画を行う場合には上書録画を行うループ録画方式を採用しており、例えば、２４時間連続的にＨＤＤ１１０にコンテンツデータを録画する。具体的には、ループ録画部１０６は、ＨＤＤ１１０のループ録画領域１１０Ａ（第１記憶領域の一例）の先頭から順にコンテンツデータを録画し、末尾まで録画すると、再度先頭から録画する。
【００１７】
この場合において、ループ録画部１０６は、ループ録画領域１１０Ａに録画されたコンテンツデータを一定の時間経過後に消去するようにすることも可能である。
また、ループ録画部１０６は、ループ録画領域１１０Ａに録画されたコンテンツデータの容量が所定の容量を超えた場合に消去するようにすることも可能である。
【００１８】
また、ループ録画部１０６は、後述のシステムコントローラ１１７からループ録画方式で録画を行う時間帯の指定を受け付け、指定された時間帯内にチューナ１０１に受信される複数のストリームをループ録画方式でループ録画領域１１０Ａに録画する。また、ループ録画部１０６は、後述のシステムコントローラ１１７からループ録画方式で録画を行う複数のチャンネルの指定を受け付け、指定された複数のチャンネルの複数のストリームをループ録画方式でループ録画領域１１０Ａに録画する。
【００１９】
さらにこの際に生成されるコピー制御情報に対応するレコードをまとめて管理ファイルとし、コピー制御情報格納領域１１０Ｃに格納する。
ここで、録画再生部１０５及びコピー制御情報格納領域１１０Ｃは、第２記録部として機能している。
【００２０】
ＰＶＲ録画部１０７は、通常の録画方式であるＰＶＲ録画方式でＨＤＤ１１０にストリームを録画する。具体的には、ＰＶＲ録画部１０７は、ＨＤＤ１１０のＰＶＲ録画領域１１０Ｂにストリームを録画する。なお、ＰＶＲ録画部１０７は、後述のシステムコントローラ１１７から消去が指示されるまで、ＰＶＲ録画領域１１０Ｂに録画されたストリームを消去せず、保存する。
【００２１】
なお、ループ録画部１０６及びＰＶＲ録画部１０７は、ストリームを録画した番組のチャンネルを示すチャンネル情報、ストリームを録画した番組の番組名、ストリームを録画した録画日時、コンテンツデータの再生履歴などの情報を、ＨＤＤ１１０のループ録画領域１１０ＡあるいはＰＶＲ録画領域１１０Ｂへ記録する。
【００２２】
また本実施形態では、ループ録画領域１１０Ａ、ＰＶＲ録画領域１１０Ｂ及びコピー制御情報格納領域１１０Ｃは、ＨＤＤ１１０内に確保されているが、ループ録画領域１１０Ａ、ＰＶＲ録画領域１１０Ｂあるいはコピー制御情報格納領域１１０Ｃを、それぞれ別々のＨＤＤに格納するようにしてもよい。
【００２３】
変更部１０８は、ループ録画方式で録画されたストリーム（コンテンツデータ）の録画方式をＰＶＲ録画方式に変更する。具体的には、変更部１０８は、ループ録画領域１１０Ａに録画されているコンテンツデータをＰＶＲ録画領域１１０Ｂに移動したり、コピーしたりする。この際、変更部１０８は、コピー制御情報格納領域１１０Ｃに格納されているコピー制御情報を更新する。これにより、ループ録画領域１１０ＡからＰＶＲ録画領域１１０Ｂに移動又はコピーされたストリームを判別できる。
【００２４】
再生部１０９は、チャンネルＣｈ１〜ＣｈＮのトランスポートストリームから抽出したコンテンツデータやＨＤＤ１１０に録画されたコンテンツデータを再生するため、ＭＰＥＧデコーダ１１４に出力する。
【００２５】
ＥＰＧ処理部１１２は、チャンネルＣｈ１〜ＣｈＮのトランスポートストリームから、各チャンネルの各時間帯の番組を示す番組情報（ＳＩ情報）であるＥＰＧ情報を抽出し、ＥＰＧメモリ１１３に記憶する。また、ＥＰＧ処理部１１２は、ＥＰＧメモリ１１３に記憶されているＥＰＧ情報を常に新しい内容に更新するため、Ｃｈ１〜ＣｈＮのトランスポートストリームからＥＰＧ情報を抽出し、抽出したＥＰＧ情報でＥＰＧメモリ１１３に記憶されているＥＰＧ情報を更新する。
【００２６】
なお、本実施形態では、日本の地上ディジタル放送のようにチャンネルＣｈ１〜ＣｈＮの各トランスポートストリームから各チャンネルのＥＰＧ情報を抽出するものとするが、これに限定するものではない。例えば、ＢＳ（Broadcasting  Satellite）ディジタル放送のように各チャンネルにＢＳ全チャンネルのＥＰＧ情報が多重されている場合もある。いずれにしても、ＥＰＧ処理部１１２は、自装置で受信可能なチャンネル数分のＥＰＧ情報を抽出し、ＥＰＧメモリ１１３に記憶する。
【００２７】
また、ＥＰＧ処理部１１２は、後述のシステムコントローラ１１７から番組表の表示指示を受け、ＥＰＧメモリ１１３に記憶されているＥＰＧ情報を取得し、取得したＥＰＧ情報をチャンネル毎に時系列に並べた番組表の番組表データを表示制御部１１５に出力する。
【００２８】
ＭＰＥＧデコーダ１１４は、録画再生部１０５から入力されたトランスポートストリームから映像、音声パケットを抽出してＭＰＥＧ２デコード処理を施し、表示制御部１１５に出力する。
表示制御部１１５は、ＥＰＧ処理部１１２から出力された番組表データやＭＰＥＧデコーダ１１４から出力された映像、音声信号等を、テレビジョン信号として、表示部１２０に出力する。
【００２９】
また本実施形態では、ループ録画方式で録画されたトランスポートストリームの一覧は、ＥＰＧ処理部１１２により番組表形式で作成され、表示制御部１１５により表示部１２０に表示される。また、ＰＶＲ録画方式で録画されたトランスポートストリームの一覧は、録画再生部１０５により作成され、表示制御部１１５により表示部１２０に表示される。
【００３０】
そして表示制御部１１５は、ループ録画方式で録画されたトランスポートストリームの一覧、又はＰＶＲ録画方式で録画されたトランスポートストリームの一覧を表示部１２０に表示する際、変更部１０８によりループ録画方式からＰＶＲ録画方式に変更されたトランスポートストリームを他のトランスポートストリームと異なる表示態様で表示する。
【００３１】
具体的には、表示制御部１１５は、ループ録画方式で録画されたトランスポートストリームの一覧、又はＰＶＲ録画方式で録画されたトランスポートストリームの一覧を表示部１２０に表示する際、ループ録画領域１１０ＡからＰＶＲ録画領域１１０Ｂに移動又はコピーされたトランスポートストリームにマークなどのシンボルを付して表示する。
【００３２】
なお、ループ録画領域１１０ＡからＰＶＲ録画領域１１０Ｂに移動又はコピーされたストリームであるか否かは、録画再生部１０５がコピー制御情報格納領域１１０Ｃに格納されているコピー制御情報のレコードを参照することで判別できる。例えば、ダビング１０の場合、１回の移動、９回のコピーが可能であるため、コピー制御情報格納領域１１０Ｃに格納されているコピー制御情報のレコードを参照して、残り移動回数が０である場合や、コピー回数が９未満であれば、ループ録画領域１１０ＡからＰＶＲ録画領域１１０Ｂに移動又はコピーされたストリームと判別できる。そして、後述のシステムコントローラ１１７が、録画再生部１０５からこの判別結果を受け、表示制御部１１５において対応するトランスポートストリームにマークなどを付して表示するか否かを指示する。
【００３３】
表示部１２０は、表示制御部１１５から入力されたテレビジョン信号に基づいて番組を表示したり、ループ録画方式で録画されたトランスポートストリームの一覧やＰＶＲ録画方式で録画されたトランスポートストリームの一覧を表示したりする。なお、表示部１２０は、液晶ディスプレイ、プラズマディスプレイ、又は有機ＥＬディスプレイなどにより実現できる。
【００３４】
リモコン受信部１１６は、リモコン１３０から、ループ録画方式で録画を行う時間帯やチャンネルの指定、ＰＶＲ録画方式での録画指示、ＰＶＲ録画方式で録画されたコンテンツデータの削除指示、ループ録画領域１１０ＡからＰＶＲ録画領域１１０Ｂへのトランスポート（コンテンツデータ）の移動やコピーの指示、ＨＤＤ１１０に録画されたトランスポートストリームの再生指示、ループ録画領域１１０Ａに録画されている番組の一覧やＰＶＲ録画領域１１０Ｂに録画されている番組の一覧の表示指示などを受け付け、システムコントローラ１１７へ通知する。
【００３５】
システムコントローラ１１７は、テレビジョン受信装置１００全体を制御する。例えば、システムコントローラ１１７は、リモコン受信部１１６からの通知を受け、テレビジョン受信装置１００の各部にリモコン受信部１１６からの通知に応じた制御や指示を行う。
【００３６】
次に、本実施形態のテレビジョン受信装置１００の動作について説明する。
以下の説明においては、ＰＶＲ録画部１０７への録画が指示されたコピーワンスの制限が課されたコンテンツデータ（番組データ）であって、ループ録画部１０６への録画が指示されているコンテンツデータについては、ループ録画部１０６への録画は行わず（無効とされ）、ＰＶＲ録画部１０７のみへの録画を行うものとする。
【００３７】
図３は、第１実施形態の動作フローチャートである。
まず、システムコントローラ１１７は、録画予約リストを参照し、録画予約のチェックを行う（ステップＳ１１）。
次にシステムコントローラ１１７は、チェックした録画予約リストの中に、コピーワンスの制限が課されたコンテンツデータ（番組データ）の録画予約があるか否かを判別する（ステップＳ１２）。
【００３８】
ステップＳ１２の判別において、チェックした録画予約リストの中に、コピーワンスの制限が課されたコンテンツデータ（番組データ）の録画予約がない場合には（ステップＳ１２；Ｎｏ）、システムコントローラ１１７は、通常の録画処理を行い（ステップＳ１７）、処理を再びステップＳ１１に移行して、以下、同様の処理を繰り返すこととなる。
ここでコピーワンスの条件のほかに有料放送であるかどうかの判定も同時行い、対象を有料放送のみ等に絞ることも適時行われる。
【００３９】
ステップＳ１２の判別において、チェックした録画予約リストの中に、コピーワンスの制限が課されたコンテンツデータ（番組データ）の録画予約がある場合には（ステップＳ１２；Ｙｅｓ）、システムコントローラ１１７は、ループ録画部１０６及びＰＶＲ録画部１０７の双方に当該コンテンツデータ（当該番組）の録画予約があるか否かを判別する（ステップＳ１３）。
【００４０】
ステップＳ１３の判別において、ループ録画部１０６及びＰＶＲ録画部１０７の双方に当該コンテンツデータ（当該番組）の録画予約がない、すなわち、ループ録画部１０６あるいはＰＶＲ録画部１０７のいずれか一方のみの録画予約である場合には（ステップＳ；Ｎｏ）、システムコントローラ１１７は、通常の録画処理を行い（ステップＳ１８）、処理を再びステップＳ１１に移行して、以下、同様の処理を繰り返すこととなる。
【００４１】
ステップＳ１３の判別において、ループ録画部１０６及びＰＶＲ録画部１０７の双方に当該コンテンツデータ（当該番組）の録画予約がある場合には（ステップＳ１３；Ｙｅｓ）、システムコントローラ１１７は、ＰＶＲ録画部１０７への録画予約を残し、ループ録画部１０６への録画予約を無効と（録画予約を削除）する（ステップＳ１４）。
【００４２】
次にシステムコントローラ１１７は、ループ録画部１０６への録画予約を無効としたＰＶＲ録画部１０７への録画の録画予約時刻に至ったか否かを判別する（ステップＳ１５）。
ステップＳ１５の判別において、ループ録画部１０６への録画予約を無効としたＰＶＲ録画部１０７への録画予約のうち、録画予約時刻に至った録画予約がない場合には、システムコントローラ１１７は、処理を再びステップＳ１１に移行して、以下、同様の処理を繰り返すこととなる。
【００４３】
ステップＳ１５の判別において、ループ録画部１０６への録画予約を無効としたＰＶＲ録画部１０７への録画予約のうち、録画予約時刻に至った録画予約がある場合には、システムコントローラ１１７は、ＰＶＲ録画部１０７への録画を行う（ステップＳ１６）。
また、このフローチャートはループ録画とPVR録画で重複する番組録画の場合を示しているが、ループ録画をPVR録画と読み替えることで２つ以上のPVR録画で同一番組を録画する際の制御フローとしても有効である。
【００４４】
図４は、ループ録画部及びＰＶＲ録画部への録画状態の説明図である。
ある時間帯において、ループ録画部１０６への録画対象となるコンテンツデータが番組Ａ〜Ｃの３つあったとする。
この状態において、ＰＶＲ録画部１０７へ番組Ｂに対応するコンテンツデータの録画予約がなされていたとすると、図４に示すように、ループ録画部１０６への録画は録画予約が無効とされるため、行われることはない。
一方、ＰＶＲ録画部１０７においては、録画予約時刻ｔ１に至ると、録画が開始され、録画完了時刻ｔ２に至ると、録画停止がなされる。
【００４５】
これと並行して、システムコントローラ１１７は、ＰＶＲ録画部１０７に録画したコンテンツデータ（番組データ）のメタデータをループ録画部１０６に記録して、処理を再びステップＳ１１に移行して、以下、同様の処理を繰り返すこととなる。
ここで、メタデータとしては、番組名、番組の放送時間、ループ録画が無効にされた理由、同一番組のＰＶＲ録画部１０７におけるリンク情報（録画先等）等が含まれる。
【００４６】
図５は、第１実施形態のループ録画部に録画されている番組の番組表の表示及び再生処理の処理フローチャートである。
まず、システムコントローラ１１７は、ループ録画部１０６に録画されている録画済番組表の表示指示がなされると（ステップＳ２１）、ループ録画部１０６を参照してループ録画部に録画されている番組の番組表の表示を行う（ステップＳ２２）。
これらループ録画部１０６やＰＶＲ録画部１０７で記録するメタデータは受信機１００内のメモリやＨＤＤ１１０の一部の領域をたとえば保存領域として利用する。
【００４７】
図６は、ループ録画部の録画済番組表の一例の説明図である。
本来であれば、ループ録画部１０６への録画予約が無効とされた番組については、ループ録画部１０６の録画済番組表には表示されないはずであるが、図５に示すように、ループ録画部１０６への録画予約が無効とされた番組については、当該録画予約が無効とされた理由が表示される（ステップＳ２３）。
【００４８】
続いて、システムコントローラ１１７は、再生指示がなされたか否かを判別する（ステップＳ２４）。
ステップＳ２４の判別において、再生指示がなされなかった場合には（ステップＳ２４；Ｎｏ）、再び処理をステップＳ２２に移行して、以下、同様の処理を行う。
ステップＳ２４の判別において、再生指示がなされた場合には（ステップＳ２４；Ｙｅｓ）、システムコントローラ１１７は、ループ録画部１０６への録画予約が無効とされた番組の再生指示がなされたか否かを判別する（ステップＳ２５）。
【００４９】
ステップＳ２５の判別において、ループ録画部１０６への録画予約が無効とされた番組の再生指示がなされなかった場合には（ステップＳ２５；Ｎｏ）、システムコントローラ１１７は、通常再生処理を行って処理を終了する（ステップＳ２６）。
また、ステップ２５の判別において、ループ録画部１０６への録画予約が無効とされた番組の再生指示がなされた場合には（ステップＳ２５；Ｙｅｓ）、システムコントローラ１１７は、再生が行えない旨の表示を行って（ステップＳ２７）、再び処理をステップＳ２２に移行して、以下、同様の処理を行う。
【００５０】
以上の説明のように、本第１実施形態によれば、コピーワンスの制限が課されたコンテンツデータを複数の録画系統を備えたコンテンツ記録装置において、ユーザが意識することなく録画系統を１系統のみに制限することができ、コンテンツデータの管理を容易とすることができる。
【００５１】
また、ループ録画部１０６への録画が無効とされ、ＰＶＲ録画部１０７に録画がなされたコンテンツデータについては、ループ録画部１０６への録画済番組表に表示されるため、ユーザが状況を容易に把握できる。
【００５２】
［２］第２実施形態
上記第１実施形態においては、ループ録画部１０６への録画が無効とされ、ＰＶＲ録画部１０７に録画がなされたコンテンツデータについては、ループ録画部１０６への録画済番組表に表示されるものの、再生を直接的に行うことはできなかった。
本第２実施形態は、ユーザの利便性を考慮し、ループ録画部１０６への録画が無効とされ、ＰＶＲ録画部１０７に録画がなされたコンテンツデータについても、ループ録画部１０６への録画済番組表を用いて再生を可能にした実施形態である。
【００５３】
図７は、第２実施形態のループ録画部に録画されている番組の番組表の表示及び再生処理の処理フローチャートである。
図７において、図５と同様の部分には、同一の符号を付すものとする。
【００５４】
まず、システムコントローラ１１７は、ループ録画部１０６に録画されている録画済番組表の表示指示がなされると（ステップＳ２１）、図６に示したように、ループ録画部１０６を参照してループ録画領域１１０Ａに録画されている番組の番組表の表示を行う（ステップＳ２２）。
【００５５】
このとき、ループ録画部１０６への録画予約が無効とされた番組については、当該録画予約が無効とされた理由が表示される（ステップＳ２３）。
続いて、システムコントローラ１１７は、再生指示がなされたか否かを判別する（ステップＳ２４）。
【００５６】
ステップＳ２４の判別において、再生指示がなされなかった場合には（ステップＳ２４；Ｎｏ）、再び処理をステップＳ２２に移行して、以下、同様の処理を行う。
ステップＳ２４の判別において、再生指示がなされた場合には（ステップＳ２４；Ｙｅｓ）、システムコントローラ１１７は、ループ録画部１０６への録画予約が無効とされた番組の再生指示がなされたか否かを判別する（ステップＳ２５）。
【００５７】
ステップＳ２５の判別において、ループ録画部１０６への録画予約が無効とされた番組の再生指示がなされなかった場合には（ステップＳ２５；Ｎｏ）、システムコントローラ１１７は、通常再生処理を行って処理を終了する（ステップＳ２６）。
ステップＳ２５の判別において、ループ録画部１０６への録画予約が無効とされた番組の再生指示がなされた場合には（ステップＳ２５；Ｙｅｓ）、システムコントローラ１１７は、ループ録画部１０６に記録されているループ録画部１０６への録画予約が無効とされた番組のメタデータを参照し、ＰＶＲ録画部１０７における対応するコンテンツデータに基づいてＰＶＲ録画部１０７に録画されたコンテンツデータ（番組データ）の再生処理を行い、処理を終了する（ステップＳ３１）。
【００５８】
以上の説明のように、本第２実施形態によれば、コピーワンスの制限が課されたコンテンツデータを複数の録画系統を備えたコンテンツ記録装置において、コンテンツ配信側の意向に沿って録画コンテンツを１つのみに制限することができ、さらに、ループ録画部１０６への録画が無効とされ、ＰＶＲ録画部１０７に録画がなされたコンテンツデータについては、ループ録画部１０６への録画済番組表に表示されて、録画済み番組表の操作により容易にＰＶＲ録画部１０７側に録画したコンテンツデータにリンクさせて容易に再生を行わせることができる等ユーザの利便性のも配慮している。
【００５９】
［２．１］第２実施形態の変形例
以上の説明においては、ＰＶＲ録画部１０７に録画したコンテンツデータを外部出力しムーブ（移動）した場合については述べていなかったが、この場合には、システムコントローラ１１７は、ループ録画部１０６への録画済番組表への表示も削除するように機能する。
これにより、ループ録画部１０６の状態と、ＰＶＲ録画部１０７の状態と、で不整合が生じることがなく、ユーザが操作上混乱することもない。
【００６０】
［３］第３実施形態
以上の各実施形態においては、コピーワンスの制限が課されたコンテンツデータを複数の録画系統を備えたコンテンツ記録装置において、録画系統をいずれか１系統のみに制限していたが、本第３実施形態は、複数の録画系統に録画を行うが、再生を行う場合には、いずれか一系統のみに制限するとともに、いずれか１系統の録画系統で録画されたコンテンツデータが外部出力としてムーブされた場合には、ムーブしていない録画系統において録画したコンテンツデータへのアクセスを禁止する場合の実施形態である。
【００６１】
図８は、第３実施形態のループ録画部及びＰＶＲ録画部に録画されている番組の番組表の表示及び再生処理の処理フローチャートである。
まず、システムコントローラ１１７は、ループ録画部１０６あるいはＰＶＲ録画部１０７に録画されている録画済番組表の表示指示がなされると（ステップＳ４１）、ループ録画部１０６あるいはＰＶＲ録画部１０７を参照してループ録画部１０６あるいはＰＶＲ録画部１０７に録画されている番組の番組表の表示を行う（ステップＳ４２）。
【００６２】
続いて、システムコントローラ１１７は、ループ録画部１０６あるいはＰＶＲ録画部１０７に録画された番組（コンテンツデータ）の再生指示がなされたか否かを判別する（ステップＳ４３）。
ステップＳ４３の判別において、未だ再生指示がなされていない場合には（ステップＳ４３；Ｎｏ）、再び処理をステップＳ４２に移行して、以下、同様の処理を行う。
【００６３】
ステップＳ４３の判別において、再生指示がなされた場合には（ステップＳ４３；Ｙｅｓ）、システムコントローラ１１７は、ループ録画部１０６あるいはＰＶＲ録画部１０７のうち、再生指示がなされた録画部における再生処理を開始するとともに、再生指示がなされなかった録画部における再生を禁止する再生禁止処理を開始する（ステップＳ４４）。
【００６４】
具体的には、ループ録画部１０６に対して再生指示がなされた場合には、ループ録画部１０６における対応する番組のコンテンツデータの再生処理を開始するとともに、再生指示がなされなかったＰＶＲ録画部１０７における当該番組のコンテンツデータの再生を禁止する再生禁止処理を開始する。
【００６５】
続いてシステムコントローラ１１７は、ループ録画部１０６あるいはＰＶＲ録画部１０７のうち、再生指示がなされた録画部における再生処理が終了したか否かを判別する（ステップＳ４５）。
【００６６】
上述の例の場合、システムコントローラ１１７は、ループ録画部１０６における再生処理が終了したか否かを判別することとなる。
ステップＳ４５の判別において、未だ再生指示がなされた録画部における再生処理が終了していない場合には（ステップＳ４５；Ｎｏ）、処理を再びステップＳ４４に移行し、再生処理を継続する。
【００６７】
ステップＳ４５の判別において、再生指示がなされた録画部における再生処理が終了した場合には（ステップＳ４５；Ｙｅｓ）、再生指示がなされなかった録画部における再生を禁止する再生禁止処理を解除する処理を行って処理を終了する（ステップＳ４６）。
上述の例の場合、ＰＶＲ録画部１０７における当該番組のコンテンツデータの再生を禁止する再生禁止処理を解除する。
【００６８】
したがって、本第３実施形態によれば、複数の録画系統に録画を行うが、再生を行う場合には、いずれか一系統のみに制限することが可能となる。
ところで、本第３実施形態において、いずれか１系統の録画系統で録画されたコンテンツデータが外部出力としてムーブされた場合には、ムーブしていない録画系統において録画したコンテンツデータが再生できる状態は、コンテンツデータの管理としては意図しないものである。
【００６９】
そこで、本第３実施形態においては、いずれか１系統の録画系統で録画されたコンテンツデータが外部出力としてムーブされた場合には、ムーブしていない録画系統において録画したコンテンツデータへのアクセスの禁止や再生動作の禁止をすることにより、コンテンツデータの管理上の不整合が発生しないようにしている。
【００７０】
図９は、いずれか一の録画系統において、コンテンツデータのムーブ指示がなされた場合の処理フローチャートである。
まず、システムコントローラ１１７は、いずれか一の録画系統において、コンテンツデータのムーブ指示がなされた場合には、当該ムーブ指示が同一のコンテンツデータを録画した複数の録画部のうち、いずれか一つの録画部において録画されたコンテンツデータのムーブ指示であるか否かを判別する（ステップＳ５１）。
【００７１】
ステップＳ５１の判別において、当該ムーブ指示が同一のコンテンツデータを録画した複数の録画部のうち、いずれか一つの録画部において録画されたコンテンツデータのムーブ指示ではない場合には（ステップＳ５１；Ｎｏ）、単純に通常のムーブ処理を行って問題がないので、システムコントローラ１１７は、ムーブ処理を行って処理を終了する（ステップＳ５４）。
【００７２】
ステップＳ５１の判別において、当該ムーブ指示が同一のコンテンツデータを録画した複数の録画部の内いずれか一つの録画部において録画されたコンテンツデータのムーブ指示である場合には（ステップＳ５１；Ｙｅｓ）、システムコントローラ１１７は、当該指示に対応するムーブ処理を通常通り行うとともに、当該ムーブ指示が同一のコンテンツデータを録画した複数の録画部のうち当該コンテンツデータのムーブ指示がなされた以外の録画部における当該コンテンツデータの再生禁止処理（アクセス禁止処理）を行う（ステップＳ５３）。
【００７３】
具体的には、ループ録画部１０６に対してムーブ指示がなされた場合には、ループ録画部１０６における対応する番組のコンテンツデータのムーブ処理を実行するとともに、ムーブ指示がなされなかったＰＶＲ録画部１０７における当該番組のコンテンツデータの再生を禁止する再生禁止処理をおこなう。ここで、再生禁止処理は、単に再生を禁止するばかりでなく、コンテンツデータを無効にするあるいは削除する等の処理を含むものとする。
【００７４】
以上の説明のように、本第３実施形態によれば、複数の録画系統に録画を行うが、再生を行う場合には、いずれか一系統のみに制限するとともに、いずれか１系統の録画系統で録画されたコンテンツデータが外部出力としてムーブされた場合には、ムーブしていない録画系統において録画したコンテンツデータへのアクセスを禁止し、再生を禁止するので、コンテンツデータの一元管理を確実に行うことができる。
【００７５】
［４］実施形態の変形例
以上の実施形態の説明においては、録画部がループ録画部１０６及びＰＶＲ録画部１０７の２系統の場合について説明したが、３系統以上であっても同様に適用が可能である。
【００７６】
以上の実施形態の説明においては、コンテンツデータ記録装置としてコンテンツデータ記録機能（録画機能）を備えたテレビジョン受信装置を例にとり説明したが、これに限定されるものではない。例えば、ＨＤＤ（Hard  Disk  Drive）に録画を行うＨＤＤレコーダや、ＨＤＤ及びＤＶＤ（Digital  Versatile  Disc）に録画を行えるＨＤＤ+ＤＶＤレコーダなどの他のコンテンツデータ記録を行うコンテンツデータ記録装置にも適用できる。
【００７７】
また、外部にチューナを接続するチューナ別体型の記録（録画）専用装置であっても適用が可能である。
【００７８】
本実施形態のディジタル放送記録置は、ＣＰＵなどの制御装置と、ＲＯＭ（Read  Only  Memory）やＲＡＭなどの記憶装置と、ＨＤＤ、ＣＤドライブ装置などの外部記憶装置と、ディスプレイ装置などの表示装置と、キーボードやマウスなどの入力装置を備え、通常のコンピュータを利用したハードウェア構成とすることも可能である。
【００７９】
この場合において、ディジタル放送記録装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００８０】
また、本実施形態のコンテンツデータ記録装置で実行される制御プログラムを、インターネット等のネットワークに接続されたコンピュータ上に格納し、ネットワーク経由でダウンロードさせることにより提供するように構成しても良い。また、本実施形態のコンテンツデータ記録装置で実行される制御プログラムをインターネット等のネットワーク経由で提供または配布するように構成しても良い。
また、本実施形態の制御プログラムを、ＲＯＭ等に予め組み込んで提供するように構成してもよい。
【００８１】
なお、上述した実施形態は、一例であり、上記実施形態そのままに限定されるものではなく、実施段階ではその要旨を逸脱しない範囲で構成要素を変形して具体化することができる。また、上記実施の形態に開示されている複数の構成要素の適宜な組み合わせにより、種々の実施形態を形成することができる。例えば、実施形態に示される全構成要素からいくつかの構成要素を削除してもよい。さらに、異なる実施形態にわたる構成要素を適宜組み合わせても良い。
【符号の説明】
【００８２】
１００…テレビジョン受信装置、１０１…チューナ、１０５…録画再生部、１０６…ループ録画部（記録部）、１０７…ＰＶＲ録画部（記録部）、１０８…変更部、１０９…再生部、１１０…ＨＤＤ、１１０Ａ…ループ録画領域、１１０Ｂ…ＰＶＲ録画領域、１１０Ｃ…コピー制御情報格納領域、１１２…ＥＰＧ処理部、１１３…ＥＰＧメモリ、１１４…ＭＰＥＧデコーダ、１１５…表示制御部、１１６…リモコン受信部、１１７…システムコントローラ（記録制御部、制御部）、１２０…表示部、１３０…リモコン、ｔ１…録画予約時刻、ｔ２…録画完了時刻。
【図１】
2013251756.tif 000003
【図２】
2013251756.tif 000004
【図３】
2013251756.tif 000005
【図４】
2013251756.tif 000006
【図５】
2013251756.tif 000007
【図６】
2013251756.tif 000008
【図７】
2013251756.tif 000009
【図８】
2013251756.tif 000010
【図９】
2013251756.tif 000011